(57)【要約】【課題】  ミニタイプ旅行用電源アダプタの提供。【解決手段】  ミニタイプ旅行用電源アダプタは、ケース及び複数組の可動式アダプタプラグを具え、該可動式アダプタプラグは下ケース底部二側に取り付けられ、且つ二組の可動式アダプタプラグの中央部の共用の接地端子を中心とし、同方向に内向きに回転して収納されるか展開され、該二組の可動式アダプタプラグが調整可能な接続端子を具え、上述の構造を使用する時、ケース底部の可動式アダプタプラグを回して展開し並びにその接続端子の位置或いは角度を調整した後、電気製品のプラグを直接該アダプタ内に挿入して使用でき、その実用性及び便利性が高められている。【選択図】        図２
0003112250.tif 000002
【実用新案登録請求の範囲】
【請求項１】
ケース１０と複数組の可動式アダプタプラグ２０を包含するミニタイプ旅行用電源アダプタにおいて、該ケース１０が上ケース１１と下ケース１２で構成され、該上ケース１１の上方に複数の異なる形式の挿入孔１１ａが設けられ、且つ挿入孔１１ａ内に相互に対応する導電クリップ１１ｂが取り付けられ、並びに導電クリップ１１ｂの挟持部１１ｂ１が上ケース１１の挿入孔１１ａに対応し、該導電クリップ１１ｂは上ケース１１と下ケース１２間の曲げ形導電金属板１５と電気的に接続され、導電クリップ１１ｂは挿入孔１１ａに挿入された電気製品のプラグを挟持可能であり、下ケース１２の底面の二側に可動式アダプタプラグ２０が取り付けられ、この二組の可動式アダプタプラグ２０の中央に共用の接地端子１２ａが設けられ、二組の可動式アダプタプラグ２０が該接地端子１２ａを中心とし、回転して収納或いは展開され、この二組の可動式アダプタプラグ２０がそれぞれ調整可能な導電端子を具えたことを特徴とする、ミニタイプ旅行用電源アダプタ。
【請求項２】
請求項１記載のミニタイプ旅行用電源アダプタにおいて、二組の可動式アダプタプラグ２０の中央に共用の接地端子１２ａが設けられ、該接地端子１２ａがＬ形を呈し、並びに角部に外向きに延伸された枢設用の円柱１２ｂが設けられたことを特徴とする、ミニタイプ旅行用電源アダプタ。
【請求項３】
請求項１記載のミニタイプ旅行用電源アダプタにおいて、接地端子１２ａの二側に取り付けられた可動式アダプタプラグ２０が接地端子１２ａを中心として回されて収納されるか或いは展開使用可能とされたことを特徴とする、ミニタイプ旅行用電源アダプタ。
【請求項４】
請求項１記載のミニタイプ旅行用電源アダプタにおいて、接地端子１２ａに接地カバー１２ｃが嵌合されたことを特徴とする、ミニタイプ旅行用電源アダプタ。
【請求項５】
請求項１記載のミニタイプ旅行用電源アダプタにおいて、一側の可動式アダプタプラグ２０にあって二つの回転可能な扁平接続端子２１が回転シート２２に取り付けられ、該回転シート２２の二側に外向きに突出する円柱２２ａが設けられ、並びに該円柱２２ａに位置決め点２２ａ１が設けられて下ケース１２の対応する位置決め孔１２ｄ内に取り付けられ、並びに扁平接続端子２１が回転シート２２に取り付けられた後、扁平接続端子２１の底部より延伸された導電接点２１ａが上ケース１１と下ケース１２間に取り付けられた曲げ形導電金属板１５と電気的に接続されることを特徴とする、ミニタイプ旅行用電源アダプタ。
【請求項６】
請求項１記載のミニタイプ旅行用電源アダプタにおいて、もう一側の可動式アダプタプラグ２０にあって二つの円柱形接続端子２３が挟持式回転シート２４に取り付けられ、該円柱形接続端子２３の底部に独立回転シート２４ａが設けられ、二つの独立回転シート２４ａの中央にバネ２４ｂが挟持され、この独立回転シート２４ａのバネ２４ｂを取り付けた側の反対側より位置決め柱２４ｃが突出し、該位置決め柱２４ｃが下ケース１２の対応する位置決め孔１２ｄに取り付けられ並びに下ケース１２外側に突出し、円柱形接続端子２３が独立回転シート２４ａに取り付けられた後に、底部より延伸された導電接点２３ａにより上ケース１１と下ケース１２間に取り付けられた曲げ形導電金属板１５と電気的に接続されることを特徴とする、ミニタイプ旅行用電源アダプタ。
【請求項７】
請求項１記載のミニタイプ旅行用電源アダプタにおいて、下ケース１２の一端の二側に下向きに延伸された枢設板１２ｅが設けられ、枢設板１２ｅの中心に円孔１２ｅ１があり、回転ケース１３の取り付けに供され、二つの枢設板１２ｅと回転ケース１３の間に導電金属板１４が取り付けられ、該導電金属板１４の上方に二つの導電部１４ａ及び側方向に外向き及び下向きに延伸された回転部１４ｂが設けられ、該回転部１４ｂの中心に円孔１４ｂ１が設けられ、二つの導電部１４ａはそれぞれ扁平接続端子２１と円柱形接続端子２３後端の導電接点２１ａ、２３ａと電気的に接続されることを特徴とする、ミニタイプ旅行用電源アダプタ。
【請求項８】
請求項７記載のミニタイプ旅行用電源アダプタにおいて、回転ケース１３は底部ケース１３ａと背部ケース１３ｂで構成され、背部ケース１３ｂに複数の異なる形式の挿入孔１３ｂ１が設けられ、該挿入孔１３ｂ１内に対応する導電クリップ１１ｂが取り付けられ、並びに導電クリップ１１ｂの挟持部１１ｂ１が背部ケース１３ｂ上方の挿入孔１３ｂ１に対応し、該導電クリップ１１ｂの側面より枢設柱１１ｂ２が突出し、該枢設柱１１ｂ２が導電金属板１４の上方に回転部１４ｂの円孔１４ｂ１内に挿入され、且つ底部ケース１３ａの二側に凸部１３ａ１が設けられ、枢設板１２ｅの中心の円孔１２ｅ１内に挿入されることを特徴とする、ミニタイプ旅行用電源アダプタ。
【考案の詳細な説明】
【技術分野】
【０００１】
本考案は一種のミニタイプ旅行用電源アダプタに係り、特に各国の異なる電源プラグ形式に広く対応するミニタイプ旅行用電源アダプタであり、体積が小さく且つ回転式設計を採用し、各種の電気製品に使用できるミニタイプ旅行用電源アダプタに関する。
【背景技術】
【０００２】
一般に家庭用電気製品はそれぞれに合った電圧及び電流を有し、世界各国の異なる電圧と電流に対応するため、それぞれが使用する電源プラグ及び電源ソケット形式には違いがある。ただしそのうちには相互に近くない電圧と電流の電源ソケットがあり、このためこのような家庭用電気製品を旅行時に異なる国家で使用できるようにするため、市場には電源アダプタが出現した。図１に示される電源アダプタａは、ケースａ１に電源プラグａ２と電源ソケットａ３が設けられ、簡単な一対一形式或いは一対二或いは一対多の各種形式がある。その使用時には電気製品ｂの電源プラグｂ１を電源アダプタａの電源ソケットａ３に挿入した後、電源アダプタａの電源プラグａ２を調整してそれをその国で使用されるコンセントに符合するものとし、電源プラグａ２をコンセントに挿入する。ただし、この電源アダプタａはソケット端ａ４とプラグ端ａ５の間に連接装置ａ６が設けられ、組合せ式の方式が使用され、電源アダプタａの異なるソケット端ａ４とプラグ端ａ５が連接装置ａ６で結合されることで、電気製品ｂのプラグを変換しなくとも使用できる目的を達成している。但しそれは電源アダプタの体積を大きくし携帯に不便な問題を有し、或いは使用上、調整が容易でない問題を有しているため、改良が必要である。
【考案の開示】
【考案が解決しようとする課題】
【０００３】
本考案の主要な目的は、体積が小さく空間を占有せず携帯に有利で、調整のための多種の変換形式を具えるのみならず、実用性と便利性を有するミニタイプ旅行用電源アダプタを提供することにある。
【課題を解決するための手段】
【０００４】
請求項１の考案は、ケース１０と複数組の可動式アダプタプラグ２０を包含するミニタイプ旅行用電源アダプタにおいて、該ケース１０が上ケース１１と下ケース１２で構成され、該上ケース１１の上方に複数の異なる形式の挿入孔１１ａが設けられ、且つ挿入孔１１ａ内に相互に対応する導電クリップ１１ｂが取り付けられ、並びに導電クリップ１１ｂの挟持部１１ｂ１が上ケース１１の挿入孔１１ａに対応し、該導電クリップ１１ｂは上ケース１１と下ケース１２間の曲げ形導電金属板１５と電気的に接続され、導電クリップ１１ｂは挿入孔１１ａに挿入された電気製品のプラグを挟持可能であり、下ケース１２の底面の二側に可動式アダプタプラグ２０が取り付けられ、この二組の可動式アダプタプラグ２０の中央に共用の接地端子１２ａが設けられ、二組の可動式アダプタプラグ２０が該接地端子１２ａを中心とし、回転して収納或いは展開され、この二組の可動式アダプタプラグ２０がそれぞれ調整可能な導電端子を具えたことを特徴とする、ミニタイプ旅行用電源アダプタとしている。
請求項２の考案は、請求項１記載のミニタイプ旅行用電源アダプタにおいて、二組の可動式アダプタプラグ２０の中央に共用の接地端子１２ａが設けられ、該接地端子１２ａがＬ形を呈し、並びに角部に外向きに延伸された枢設用の円柱１２ｂが設けられたことを特徴とする、ミニタイプ旅行用電源アダプタとしている。
請求項３の考案は、請求項１記載のミニタイプ旅行用電源アダプタにおいて、接地端子１２ａの二側に取り付けられた可動式アダプタプラグ２０が接地端子１２ａを中心として回されて収納されるか或いは展開使用可能とされたことを特徴とする、ミニタイプ旅行用電源アダプタとしている。
請求項４の考案は、請求項１記載のミニタイプ旅行用電源アダプタにおいて、接地端子１２ａに接地カバー１２ｃが嵌合されたことを特徴とする、ミニタイプ旅行用電源アダプタとしている。
請求項５の考案は、請求項１記載のミニタイプ旅行用電源アダプタにおいて、一側の可動式アダプタプラグ２０にあって二つの回転可能な扁平接続端子２１が回転シート２２に取り付けられ、該回転シート２２の二側に外向きに突出する円柱２２ａが設けられ、並びに該円柱２２ａに位置決め点２２ａ１が設けられて下ケース１２の対応する位置決め孔１２ｄ内に取り付けられ、並びに扁平接続端子２１が回転シート２２に取り付けられた後、扁平接続端子２１の底部より延伸された導電接点２１ａが上ケース１１と下ケース１２間に取り付けられた曲げ形導電金属板１５と電気的に接続されることを特徴とする、ミニタイプ旅行用電源アダプタとしている。
請求項６の考案は、請求項１記載のミニタイプ旅行用電源アダプタにおいて、もう一側の可動式アダプタプラグ２０にあって二つの円柱形接続端子２３が挟持式回転シート２４に取り付けられ、該円柱形接続端子２３の底部に独立回転シート２４ａが設けられ、二つの独立回転シート２４ａの中央にバネ２４ｂが挟持され、この独立回転シート２４ａのバネ２４ｂを取り付けた側の反対側より位置決め柱２４ｃが突出し、該位置決め柱２４ｃが下ケース１２の対応する位置決め孔１２ｄに取り付けられ並びに下ケース１２外側に突出し、円柱形接続端子２３が独立回転シート２４ａに取り付けられた後に、底部より延伸された導電接点２３ａにより上ケース１１と下ケース１２間に取り付けられた曲げ形導電金属板１５と電気的に接続されることを特徴とする、ミニタイプ旅行用電源アダプタとしている。
請求項７の考案は、請求項１記載のミニタイプ旅行用電源アダプタにおいて、下ケース１２の一端の二側に下向きに延伸された枢設板１２ｅが設けられ、枢設板１２ｅの中心に円孔１２ｅ１があり、回転ケース１３の取り付けに供され、二つの枢設板１２ｅと回転ケース１３の間に導電金属板１４が取り付けられ、該導電金属板１４の上方に二つの導電部１４ａ及び側方向に外向き及び下向きに延伸された回転部１４ｂが設けられ、該回転部１４ｂの中心に円孔１４ｂ１が設けられ、二つの導電部１４ａはそれぞれ扁平接続端子２１と円柱形接続端子２３後端の導電接点２１ａ、２３ａと電気的に接続されることを特徴とする、ミニタイプ旅行用電源アダプタとしている。
請求項８の考案は、請求項７記載のミニタイプ旅行用電源アダプタにおいて、回転ケース１３は底部ケース１３ａと背部ケース１３ｂで構成され、背部ケース１３ｂに複数の異なる形式の挿入孔１３ｂ１が設けられ、該挿入孔１３ｂ１内に対応する導電クリップ１１ｂが取り付けられ、並びに導電クリップ１１ｂの挟持部１１ｂ１が背部ケース１３ｂ上方の挿入孔１３ｂ１に対応し、該導電クリップ１１ｂの側面より枢設柱１１ｂ２が突出し、該枢設柱１１ｂ２が導電金属板１４の上方に回転部１４ｂの円孔１４ｂ１内に挿入され、且つ底部ケース１３ａの二側に凸部１３ａ１が設けられ、枢設板１２ｅの中心の円孔１２ｅ１内に挿入されることを特徴とする、ミニタイプ旅行用電源アダプタとしている。
【考案の効果】
【０００５】
本考案のミニタイプ旅行用電源アダプタは多重調整の可動式アダプタプラグを具え、多くの国のコンセント規格に対応でき、且つ同方向に回転する設計が採用されて、全体の電源アダプタの体積が最小にまで縮小され、体積が小さく空間を占有せず携帯に有利であり、実用性と便利性、及び進歩性を有している。
【考案を実施するための最良の形態】
【０００６】
本考案は全体の電源アダプタの体積を縮小した後、過去の組合せ式とは異なる設計方式を採用し、全ての調整構造を電源アダプタ内に取り付け、使用時に直接プラグ端を電源アダプタのケース内より回して展開させた後、電気製品のプラグを電源アダプタのソケット端に挿入すれば良いものとし、体積を占有せず、操作に便利で、その実用性と便利性を確実に向上したミニタイプ旅行用電源アダプタを提供するものである。
【０００７】
本考案のミニタイプ旅行用電源アダプタは、ケースと複数組の可動式アダプタプラグを具え、ケースは上ケースと下ケースで構成され、該上ケースに複数の異なる形式の挿入孔が設けられ、且つ挿入孔内に相互に対応する導電クリップが設けられて該導電クリップが電気製品の接続端子を挟持でき、且つ該導電クリップは、上ケースと下ケース間に挟まれた曲げ形導電金属板と電気的に接続される。下ケースの底面の二端に可動式アダプタプラグが取り付けられ、且つ二組の可動式アダプタプラグの中央に共用の接地端子が設けられ、該共用の接地端子はＬ形を呈し、その角部の二側に外側に延伸された枢設用の円柱が設けられ、該共用の接地端子の二側に取り付けられた可動式アダプタプラグは内側に回転する方式で収納可能で、そのうち一側の可動式アダプタプラグは回転可能な扁平接続端子とされて回転シートに取り付けられ、並びに取り付け完了後に回転シート底部より延伸された導電接点が、上ケースと下ケース間の曲げ形導電金属板と電気的に接続され、もう一側の可動式アダプタプラグは二つの円柱形接続端子とされて挟持式回転シートに取り付けられ、挟持式回転シート底部より延伸された導電接点と上ケースと下ケース間に取り付けられた曲げ形導電金属板が電気的に接続される。
【０００８】
上述の構造を使用する時は、電気製品のプラグが電源アダプタ上方の挿入孔内に挿入され、並びに下ケースの可動式アダプタプラグの位置がその国家のコンセントに合った形式に調整されればよく、二組の可動式アダプタプラグが必要とする収容空間が最小とされ、且つ可動式アダプタプラグが中央の共用の接地端子に向けて同方向に回転収納される方式が採用され、ソケット端とプラグ端が共同で同一ケース内に結合され、これにより電源アダプタの使用する体積が最小とされ、体積が小さく空間を占有せず携帯に有利な目的を達成する。使用時に回転方式で必要な可動式アダプタプラグを取り出して使用し、その中央部の共用の接地端子の利用と可動式アダプタプラグを同じ使用方式で選択的に取り出すか或いは収納し、操作上、相当に簡単であり、且つ扁平接続端子と円柱形接続端子もそれぞれ調整構造を具え、これにより多種類の形式のコンセントに使用でき、相当に実用的で且つ使用して相当に便利である。
【実施例１】
【０００９】
図２、３、４、５、６に示されるように、本考案のミニタイプ旅行用電源アダプタはケース１０と複数組の可動式アダプタプラグ２０を包含する。
【００１０】
該ケース１０は方形箱状に形成され、且つ上ケース１１と下ケース１２で構成され、そのうち、上ケース１１の上方に複数の異なる形式の挿入孔１１ａが設けられ、且つ挿入孔１１ａ内に相互に対応する導電クリップ１１ｂが取り付けられ、並びに導電クリップ１１ｂの挟持部１１ｂ１が上ケース１１の挿入孔１１ａに対応し、該導電クリップ１１ｂは上ケース１１と下ケース１２間の曲げ形導電金属板１５と電気的に接続され、導電クリップ１１ｂは挿入孔１１ａに挿入された電気製品のプラグを挟持可能である。下ケース１２の底面の二側に可動式アダプタプラグ２０が取り付けられ、且つこの二組の可動式アダプタプラグ２０の中央に共用の接地端子１２ａが設けられ、該接地端子１２ａはＬ形を呈し、並びに角部に外向きに延伸された枢設用の円柱１２ｂが設けられ、接地端子１２ａの二側に取り付けられた可動式アダプタプラグ２０が接地端子１２ａを中心として内向きに回す方式で収納されるか或いは展開使用され、該接地端子１２ａに接地カバー１２ｃを嵌合可能である。そのうち一側の可動式アダプタプラグ２０は二つの回転可能な扁平接続端子２１が回転シート２２に取り付けられ、該回転シート２２の二側に外向きに突出する円柱２２ａが設けられ、並びに該円柱２２ａに位置決め点２２ａ１が設けられ、該円柱２２ａは下ケース１２の対応する位置決め孔１２ｄ内に取り付けられ、並びに扁平接続端子２１が回転シート２２に取り付けられた後、扁平接続端子２１の底部より延伸された導電接点２１ａが上ケース１１と下ケース１２間に取り付けられた曲げ形導電金属板１５と電気的に接続されてなる。もう一側の可動式アダプタプラグ２０は二つの円柱形接続端子２３が挟持式回転シート２４に取り付けられ、該円柱形接続端子２３の底部に独立回転シート２４ａが設けられ、二つの独立回転シート２４ａの中央にバネ２４ｂが挟持され、この独立回転シート２４ａのバネ２４ｂを取り付けた側の反対側より位置決め柱２４ｃが突出し、該位置決め柱２４ｃが下ケース１２の対応する位置決め孔１２ｄに取り付けられ並びに下ケース１２外側に突出し、円柱形接続端子２３が独立回転シート２４ａに取り付けられた後に、底部より延伸された導電接点２３ａにより上ケース１１と下ケース１２間に取り付けられた曲げ形導電金属板１５と電気的に接続される。
【００１１】
図７〜図１１は本考案の使用表示図であり、電気製品のプラグ２が電源アダプタ１上方の挿入孔１１ａ内に挿入され、並びに下ケース１２の可動式アダプタプラグ２０の位置が各国のコンセント３の形式に合うように調整されれば使用できる。
【実施例２】
【００１２】
図１２、図１３は本考案の別の実施例を示す。下ケース１２の一部は前述の構造と同様に維持され、並びに下ケース１２の一端の二側に下向きに延伸された枢設板１２ｅが設けられ、枢設板１２ｅの中心に円孔１２ｅ１があり、回転ケース１３の取り付けに供される。二つの枢設板１２ｅと回転ケース１３の間に導電金属板１４が取り付けられ、該導電金属板１４の上方に二つの導電部１４ａ及び側方向に外向き及び下向きに延伸された回転部１４ｂが設けられ、該回転部１４ｂの中心に円孔１４ｂ１が設けられている。二つの導電部１４ａはそれぞれ扁平接続端子２１と円柱形接続端子２３後端の導電接点２１ａ、２３ａと電気的に接続される。回転ケース１３は底部ケース１３ａと背部ケース１３ｂで構成され、背部ケース１３ｂに複数の異なる形式の挿入孔１３ｂ１が設けられ、該挿入孔１３ｂ１内に対応する導電クリップ１１ｂが取り付けられ、並びに導電クリップ１１ｂの挟持部１１ｂ１が背部ケース１３ｂ上方の挿入孔１３ｂ１に対応し、該導電クリップ１１ｂの側面より枢設柱１１ｂ２が突出し、該枢設柱１１ｂ２が導電金属板１４の上方に回転部１４ｂの円孔１４ｂ１内に挿入され、且つ底部ケース１３ａの二側に凸部１３ａ１が設けられ、枢設板１２ｅの中心の円孔１２ｅ１内に挿入される。上述の構造を使用する時、全体の電源アダプタの体積が更に縮小され且つ使用方式は同じであり、前述の実施例と同じ目的を達成できる。
【図面の簡単な説明】
【００１３】
【図１】周知の電源アダプタの立体構造図である。
【図２】本考案の立体分解図である。
【図３】本考案の立体組合せ図である。
【図４】本考案の組合せ断面図（一）である。
【図５】本考案の組合せ断面図（二）である。
【図６】本考案の組合せ断面図（三）である。
【図７】本考案の使用表示図（一）である。
【図８】本考案の使用表示図（二）である。
【図９】本考案の使用表示図（三）である。
【図１０】本考案の使用表示図（四）である。
【図１１】本考案の使用表示図（五）である。
【図１２】本考案の別の実施例の立体分解図である。
【図１３】本考案の別の実施例の立体組合せ図である。
【符号の説明】
【００１４】
１  電源アダプタ        ２  プラグ
３  コンセント          １０  ケース
２０  可動式アダプタプラグ        １１  上ケース
１２  下ケース                    １１ａ、１３ｂ１  挿入孔
１１ｂ  導電クリップ              １１ｂ１  挟持部
１１ｂ２  枢設柱                  １２ａ  接地端子
１２ｂ  円柱                      １２ｃ  接地カバー
１２ｄ  位置決め孔                １２ｅ  枢設板
１２ｅ１  円孔                    １３  回転ケース
１３ａ  底部ケース                １３ａ１  凸部
１３ｂ  背部ケース                １４  導電金属板
１４ａ  導電部                    １４ｂ  回転部
１４ｂ１  円孔                    １５  曲げ形導電金属板
２１  扁平接続端子                ２２  回転シート
２１ａ、２３ａ  導電接点          ２３  円柱形接続端子
２４  挟持式回転シート            ２４ａ  独立回転シート
２４ｂ  バネ
【図１】
0003112250.tif 000003
【図２】
0003112250.tif 000004
【図３】
0003112250.tif 000005
【図４】
0003112250.tif 000006
【図５】
0003112250.tif 000007
【図６】
0003112250.tif 000008
【図７】
0003112250.tif 000009
【図８】
0003112250.tif 000010
【図９】
0003112250.tif 000011
【図１０】
0003112250.tif 000012
【図１１】
0003112250.tif 000013
【図１２】
0003112250.tif 000014
【図１３】
0003112250.tif 000015